(57)【特許請求の範囲】
【請求項１】
挿入穴が形成される本体と、
前記挿入穴を封止するために摺動可能に本体に設置されると共に、挿入穴の軸方向に対して傾斜状となる少なくとも１つのガイド縁部が設けられるガイド構造を備え、該ガイド縁部によって、挿入穴の軸方向からの力をその径方向へガイドすることができる少なくとも１枚のフタ部材と、
前記フタ部材を押し詰めて挿入穴を閉じるために、本体に取り付けられる復位構造と、を有することを特徴とする蓋部自動開閉装置。
【請求項２】
前記フタ部材の上部に、挿入穴と対応する凹部が凹設され、該凹部に前記ガイド構造が設置されることを特徴とする請求項１に記載の蓋部自動開閉装置。
【請求項３】
前記凹部のガイド構造の下端近傍に凹みが凹設されることを特徴とする請求項２に記載の蓋部自動開閉装置。
【請求項４】
前記ガイド構造が少なくとも１本のガイドリブを含み、該ガイドリブの上縁部に前記ガイド縁部が設けられることを特徴とする請求項１または２に記載の蓋部自動開閉装置。
【請求項５】
前記ガイドリブの厚さが上端から下端へ行くにつれて次第に薄くなることを特徴とする請求項４に記載の蓋部自動開閉装置。
【請求項６】
前記凹部の底面が傾斜状を呈し、該凹部の底面に凹みが形成され、該凹みの両側にそれぞれガイド縁部が設けられることを特徴とする請求項２に記載の蓋部自動開閉装置。
【請求項７】
前記フタ部材のガイド構造は、凹み部であり、該凹み部の両側にそれぞれガイド縁部が設けられることを特徴とする請求項１に記載の蓋部自動開閉装置。
【請求項８】
前記フタ部材のガイド構造が２枚の三角形のガイドタブを含み、該各ガイドタブの上面に傾斜状のガイド縁部が設けられることを特徴とする請求項１に記載の蓋部自動開閉装置。
【請求項９】
前記本体に、フタ部材に直線往復運動を行わせるためのレールが設けられ、該レールに互いに平行する２つのガイド板が設けられ、
前記フタ部材が摺動可能にガイド板の間に載架されることを特徴とする請求項１乃至８の何れか１項に記載の蓋部自動開閉装置。
【請求項１０】
前記本体にレールが形成され、該レールが２つのガイド板を備え、該各ガイド板の少なくとも一側に傾斜面が形成され、
前記２つのガイド板それぞれに対応して、前記フタ部材の一側に翼部が延設され、該翼部が摺動可能に前記２つのガイド板の傾斜面にそれぞれ載架されることを特徴とする請求項１乃至８の何れか１項に記載の蓋部自動開閉装置。
【請求項１１】
前記フタ部材が枢転可能に本体の枢転軸に枢設されることを特徴とする請求項１乃至８の何れか１項に記載の蓋部自動開閉装置。
【請求項１２】
前記本体にレールが設けられ、該レールが枢転軸を円心とする弧状のガイドリブを備え、
前記フタ部材の一端に摺動台が延設され、該摺動台が摺動可能にガイドリブに載架されることを特徴とする請求項１１に記載の蓋部自動開閉装置。
【請求項１３】
前記復位構造は、圧するバネを含むことを特徴とする請求項１２項に記載の蓋部自動開閉装置。
【請求項１４】
前記本体にそれぞれ、挿入穴の周囲に配列する複数のガイドリブが設けられ、
前記フタ部材の底面に摺動溝が形成され、該フタ部材が摺動溝を介してガイドリブに摺動可能に組み合わせられることを特徴とする請求項１乃至８の何れか１項に記載の蓋部自動開閉装置。
【請求項１５】
前記復位構造は、フタ部材に環装されるバネであることを特徴とする請求項１４に記載の蓋部自動開閉装置。
【発明の詳細な説明】
【技術分野】
【０００１】
本発明は、特に棒状の物を挿し込むと、開口が自動的に開き、棒状の物を取り外すと、開口が自動的に閉じる蓋部自動開閉装置に関するものである。
【背景技術】
【０００２】
既存の蓋付き容器（例えば、鉛筆削り）は、削り屑が飛び散らないように、鉛筆削りの挿入口に蓋が装着されている。
従来の中国実用新案第２０２５７３５４８号に開示されているエコタイプ鉛筆削り器は、２枚のスライドタブが互いに枢転するように、鉛筆削りの挿入口に取り付けられ、それらのスライドタブの間に錐状の凹部が形成され、鉛筆を削る時に、その鉛筆を錐状の凹部に沿って挿し込むと、鉛筆の先端が２枚のスライドタブを枢転させ、鉛筆削り器の開口が開く構造となっている。
【先行技術文献】
【特許文献】
【０００３】
【特許文献１】中国実用新案第２０２５７３５４８号
【発明の概要】
【発明が解決しようとする課題】
【０００４】
しかしながら、一度も削ったことがない新しい鉛筆は、先端が平坦状であることから、鉛筆削り器の開口に挿し込み難く、鉛筆の先端を錐状の凹部に無理に押し込んでも鉛筆からの軸方向力を径方向分力にならなく、スライドタブを枢転させて開くことができないと共に、スライドタブをさらに閉めるので、使用上、非常に不便である。
【課題を解決するための手段】
【０００５】
本発明に係る蓋部自動開閉装置は、
挿入穴が形成される本体と、
前記挿入穴を封止するために摺動可能に本体に設置されると共に、挿入穴の軸方向に対して傾斜状となる少なくとも１つのガイド縁部が設けられるガイド構造を備え、該ガイド縁部によって、挿入穴の軸方向からの力をその径方向へガイドすることができる少なくとも１枚のフタ部材と、
前記フタ部材を押し詰めて挿入穴を閉じるために、本体に取り付けられる復位構造と、を有するものである。
【発明の効果】
【０００６】
本発明に係る蓋部自動開閉装置は、前記構造を有することから、鉛筆などの棒状の物を蓋付き容器に挿し込む時に、その軸方向の力を径方向にガイドするので、フタ部材２０を自動的に開けることができる。また、本発明の蓋部自動開閉装置は、ガイド構造を有することから、先端が平坦状である新した鉛筆または棒体でも簡単にフタ部材２０を開けることができ、すなわち、鋭い先端であっても平坦状の先端であっても、本発明の蓋部自動開閉装置の構成であれば、簡単にフタ部材を開けることができるので、極めて実用性や利便性に優れている。
【図面の簡単な説明】
【０００７】
【図１】本発明の蓋部自動開閉装置に係る第一実施例の部分分解斜視図である。
【図２】本発明の蓋部自動開閉装置に係る第一実施例の部分断面図である。
【図３】本発明の蓋部自動開閉装置に係る第一実施例の他の部分断面図である。
【図４】本発明の蓋部自動開閉装置に係る第一実施例において、鉛筆を挿し込む操作を示す部分拡大断面図である。
【図５】本発明の蓋部自動開閉装置に係る第二実施例の部分断面斜視図である。
【図６】本発明の蓋部自動開閉装置に係る第二実施例の部分分解斜視図である。
【図７】本発明の蓋部自動開閉装置に係る第二実施例において、鉛筆を挿し込む操作を示す部分拡大断面図である。
【図８】本発明の蓋部自動開閉装置に係る第三実施例の分解斜視図である。
【図９】本発明の蓋部自動開閉装置に係る第三実施例の部分分解斜視図である。
【図１０】本発明の蓋部自動開閉装置に係る第三実施例において、鉛筆を挿し込む操作を示す上面視平面図である。
【図１１】本発明の蓋部自動開閉装置に係る第四実施例の部分分解斜視図である。
【図１２】本発明の蓋部自動開閉装置に係る第四実施例の分解斜視図である。
【図１３】本発明の蓋部自動開閉装置に係る第四実施例において、鉛筆を挿し込む操作を示す断面図である。
【発明を実施するための形態】
【０００８】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【０００９】
本発明に係る蓋部自動開閉装置は、如何なるタイプの蓋付き容器にも適用できる。以下の鉛筆削りを実施例として説明する。図１乃至図３に示すように、本発明の第一実施例は、本体１０を有し、該本体１０は、屑収容容器１１と、座部１２と、キャップ１４と、刃部１５とを備え、その内、該座部１２は、着脱可能に屑収容容器１１の上部に取り付けられ、該刃部１５は、屑収容容器１１の内部に位置するように、座部１２に取り付けられ、該本体１０の中心に挿入穴１３が形成される。尚、本明細書において、軸方向とは、この挿入穴１３の軸方向であり、径方向とは、この挿入穴１３の軸方向と垂直する方向である。
【００１０】
本実施例における挿入穴１３は刃部１５の上方に位置し、前記本体１０の内部に、挿入穴１３を封止するための少なくとも１枚のフタ部材２０が摺動可能に設置される。尚、本実施例においては、２枚のフタ部材２０をを有し（図面の如く）、蓋付き容器のタイプに応じて数量を変更してもよく、例えば、１枚、３枚、３枚以上を有してもよい。また、それらのフタ部材２０の上部に錐状となる凹部２２が凹設され、該各フタ部材２０の凹部２２にそれぞれガイド構造２４が凸設され、それらガイド構造２４は少なくとも１本のガイドリブを含み、該ガイドリブの上縁部に、その凹部２２の錐状に対応し、挿入穴１３の軸方向に対して傾斜状を呈するガイド縁部２４２が設けられ、そのガイド縁部２４２によれば、挿入穴１３の軸方向からの力を径方向にガイドしてフタ部材２０を開けることができる。
【００１１】
図１及び図４に示すように、それらのガイド縁部２４２の延出方向はそれぞれ、それらのフタ部材２０が開く時の移動方向と一致している。なお、各フタ部材２０は、２本のガイドリブを含むことが好ましく、また、そのガイドリブの厚さは上端から下端へ行くにつれて次第に薄くなるので、上端が厚く下端が薄い形状である。
【００１２】
また、前記凹部２２のガイド構造２４の下端近傍に凹み２２２が凹設される。尚、第一実施例においては、２つのガイド構造２４を有することから、その凹み２２２がガイド構造２４の間に形成されることが好ましい。
【００１３】
一方、その本体１０の座部１２の上面に、フタ部材２０を開閉自在にかつ径方向へ直線往復運動させるためのレール１６が設けられ、該レール１６に互いに平行する２つのガイド板１６２が設けられ、それらのフタ部材２０が往復摺動可能にガイド板１６２の間に載架され、その本体１０に復位構造が設置され、該復位構造がフタ部材２０を押し詰めて挿入穴１３を閉じる。尚、第一実施例における復位構造は、そのフタ部材２０の一側を押圧するバネ３０であってもよく、フタ部材２０の周囲に環装される環状のバネリングであってもよい。
【００１４】
図１及び図４に示すように、鉛筆を鉛筆削り器に挿し込んで削る時は、その鉛筆をキャップ１４から差込み、先端をフタ部材２０のガイド構造２４に当接するように押し込む。この時、削ったことのある先端が鋭い鉛筆であっても、先端が平坦状である新しい鉛筆であっても、その鉛筆の周縁部がフタ部材２０のガイド縁部２４２と接触すれば、その鉛筆の軸方向力を径方向分力にガイドし、他の分力にならないように力を無駄にしない。また、そのフタ部材２０をレール１６に沿ってスムーズに摺動させて挿入穴１３を開けることができるので、鉛筆を簡単に本体１０に押し込んで削ることができる。
【００１５】
また、本実施例に示すように、そのガイドリブの上端を厚くして下端を薄くする構成とすれば、その削ったことがある、先端の鋭い鉛筆であっても、ガイド縁部２４２の内部へ挿し込むと、ガイド縁部２４２の底端近傍と接触することができ、一方、その削ったことがない新しい鉛筆であっても、その平坦状の先端がガイド縁部２４２の外端近傍と接触することができることから、鉛筆の先端が如何なる形状であっても適用することができ、さらに、その凹み２２２によって、鉛筆の先端を挿入穴１３へガイドしてよりスムーズに挿入することができるので、より実用性を向上させることができる。
【００１６】
その後、鉛筆を削り終えて挿入穴１３から引く抜くと、そのバネ３０の付勢力によって、フタ部材２０がレール１６に沿って復位して挿入穴１３を封止するので、本体１０内部の屑が挿入穴１３を通過して外部に落出することはない。
【００１７】
上述の実施例では鉛筆削りを例として説明したが、本発明に係る蓋部自動開閉装置は如何なるタイプの蓋付き容器にも適用できる。例えば、本発明の蓋部自動開閉装置をドリンク容器に使用してもよく、その場合、フタ部材２０のガイド縁部２４２から先端が平坦状であるストローを挿入穴１３へ挿し込むと、ストローがフタ部材２０を押圧して簡単に挿入穴１３を開けることができるので、ドリンク容器内の飲料を飲むことができる。一方、本発明の蓋部自動開閉装置を墨汁容器などに使用してもよく、その場合、筆を挿入穴１３から挿し込むと、そのフタ部材２０が自動的に開き、筆を取り出す時には、フタ部材２０が自動的に閉まるので、墨汁の乾燥を防ぐことができる。
【００１８】
図５及び図６に示すように、本発明の第二実施例は、本体１０Ａの挿入穴１３Ａ及びレール１６Ａはそれぞれ刃部１５Ａの上方に形成され、該レール１６Ａは、略台形を呈する２つのガイド板１６２Ａを備え、該各ガイド板１６２Ａの両側にそれぞれ傾斜面１６４が形成され、それらのフタ部材２０Ａの上部に凹部２２Ａが形成され、該凹部２２Ａの底面は傾斜状を呈し、該各フタ部材２０Ａの一側に翼部２６が延設され、該翼部２６は摺動可能にガイド板１６２Ａに載架され、該各フタ部材２０Ａのガイド構造２４Ａは凹み部であり、凹部２２Ａの傾斜状の底面に凹設され、その凹み部の両側にそれぞれガイド縁部２４２Ａが設けられ、更に、復位構造のバネ３０は斜めに取り付けられる。
【００１９】
図７に示すように、上述した構造によれば、鉛筆を鉛筆削り器に挿し込む時、その鉛筆の先端が凹み部の両側のガイド縁部２４２Ａと接触すると、そのガイド構造２４Ａによって鉛筆からの軸方向力を径方向分力にガイドしてフタ部材２０Ａを開くことができる。それによれば、フタ部材２０Ａがガイド板１６２Ａの傾斜面に沿って摺動して挿入穴１３Ａが開くので、鉛筆を削ることができる。反対に、鉛筆を削り終えて取り出す時は、復位構造によってフタ部材２０Ａが復位するので、挿入穴１３Ａを封止して屑を外部に落下することはない。
【００２０】
図８及び図９に示すように、本発明の第三実施例においては、座部１２Ｂが屑収容容器１１Ｂをカバーするように取り付けられ、座部１２Ｂに挿入穴１３Ｂが形成され、２枚のフタ部材２０が開閉可能に本体１０Ｂの枢転軸１８に枢設され、該座部１２Ｂの上面にレール１６Ｂが設けられ、該レール１６Ｂに枢転軸１８を円心とする弧状のガイドリブが設けられる。また、本実施例の復位構造は、ねじりコイルバネ３０Ｂであり、そのねじりコイルバネの両端はそれぞれフタ部材２０Ｂに当接され、該各フタ部材２０Ｂの一端の外周面に摺動台２８が延設され、該摺動台２８は、摺動可能にガイドリブに載架され、該各フタ部材２０Ｂの上面に凹部２２Ｂが形成され、該凹部２２Ｂに平坦状の底面を有し、該各フタ部材２０Ｂのガイド構造２４Ｂが２枚の三角形のガイドタブを含み、該各ガイドタブの上面に傾斜状のガイド縁部２４２Ｂが設けられる。
【００２１】
図１０に示すように、鉛筆を鉛筆削り器に挿し込む時、ガイド構造２４Ｂのガイド縁部２４２Ｂによって、鉛筆からの軸方向力を径方向分力にガイドすると共に、各フタ部材２０が枢転軸１８を中心に弧状のレール１６Ｂに沿って枢転して挿入穴１３Ｂを開くので、鉛筆を削ることができる。反対に、鉛筆を削り終えて取り出す時は、復位構造によって、フタ部材２０Ｂが回転して挿入穴１３Ｂが封止されて屑を外部に落下することはない。
【００２２】
図１１乃至図１３に示すように、本発明の第四実施例においては、本体１０Ｃの内部に３枚のフタ部材２０Ｃが摺動可能に設置され、それらのフタ部材２０Ｃが摺動することにより、挿入穴１３Ｃを開いたり、封止したりする。また、それらのフタ部材２０Ｃはそれぞれ扇状の断面を有すると共に、中央へ摺動して組み合わさると、円形のカバーとなり、挿入穴１３Ｃを封止することができる。なお、その挿入穴１３Ｃは刃部１５Ｃの中心に形成されると共に、該各フタ部材２０Ｃのガイド構造２４Ｃは、上部が厚く下部が薄いリブであることが好ましい。
【００２３】
また、前記本体１０Ｃのレール１６Ｃは、刃部１５Ｃの上面に設けられると共に、３つのガイドリブを含み、それらのガイドリブはそれぞれ、挿入穴１３Ｃの周囲に放射状に配列され、また、隣り合うレール１６Ｃにおける対向する２本のガイドリブは互いに平行に配列される。さらに、前記各フタ部材２０Ｃの底面に２つの摺動溝２９が形成され、該フタ部材２０Ｃは、摺動溝２９を介してガイドリブに摺動可能に載置され、それら摺動溝２９によって、フタ部材２０Ｃをガイドリブに対して摺動させることができる。なお、本実施例における復位構造は、３枚のフタ部材２０Ｃに環装されるバネ３０Ｃである。
【００２４】
図１３に示すように、鉛筆を鉛筆削り器に挿し込む時、鉛筆の先端がフタ部材２０Ｃのガイド構造２４Ｃに当接すると、そのガイド構造２４Ｃによって、鉛筆からの軸方向力を径方向分力にガイドすることから、それらのフタ部材２０Ｃがレール１６Ｃに対して挿入穴１３Ｃの中心から外側へ摺動しながらバネ３０Ｃを引っ張られ、挿入穴１３Ｃを開くことができる。その後、鉛筆を削り終えて取り出す時は、バネ３０Ｃの付勢力によって、フタ部材２０Ｃが挿入穴１３Ｃの中心へ摺動して挿入穴１３Ｃが封止される。このように、本実施例は、その１つのバネ３０Ｃが３枚のフタ部材２０Ｃに環装され、その付勢力によりそれらのフタ部材２０Ｃを挿入穴１３Ｃの中心へ復位させる構成である。
【符号の説明】
【００２５】
１０、１０Ａ、１０Ｂ、１０Ｃ            本体
１１、１１Ｂ                            屑収容容器
１２、１２Ｂ                            座部
１３、１３Ａ、１３Ｂ、１３Ｃ            挿入穴
１４                                    キャップ
１５、１５Ａ、１５Ｃ                    刃部
１６、１６Ａ、１６Ｂ、１６Ｃ            レール
１６２、１６２Ａ                        ガイド板
１６４                                  傾斜面
１８                                    枢転軸
２０、２０Ａ、２０Ｂ、２０Ｃ            フタ部材
２２、２２Ａ、２２Ｂ                    凹部
２２２                                  凹み
２４、２４Ａ、２４Ｂ、２４Ｃ            ガイド構造
２４２、２４２Ａ、２４２Ｂ              ガイド縁部
２６                                    翼部
２８                                    摺動台
２９                                    摺動溝
３０、３０Ｃ                            バネ
【図１】
0006044053.tif 000002
【図２】
0006044053.tif 000003
【図３】
0006044053.tif 000004
【図４】
0006044053.tif 000005
【図５】
0006044053.tif 000006
【図６】
0006044053.tif 000007
【図７】
0006044053.tif 000008
【図８】
0006044053.tif 000009
【図９】
0006044053.tif 000010
【図１０】
0006044053.tif 000011
【図１１】
0006044053.tif 000012
【図１２】
0006044053.tif 000013
【図１３】
0006044053.tif 000014